(57)【要約】
【課題】　発振信号の相互干渉が少なく、電気的性能の良好な高周波回路ユニットを提供する。
【解決手段】　本考案の高周波回路ユニットは、枠体１内がシールド板３によって上、下方向に第１，第２の区画室４，５に区画され、第１の区画室４に収納されたチューナ回路部８の第１の発振器８ａと、第２の区画室５に収納された復調回路部９の第２の発振器９ａがシールド板３を挟んで対向した状態で配置され、カバー６が第１の区画室４の開放部４ａを覆うと共に、第２の区画室５の開放部５ａを開放状態にしたため、第１，第２の発振器を結ぶ線方向のカバーの長さは、従来に比して短くでき、このため、電波の飛び込みによる相互干渉が極めて少なくなって、電気性能（Ｓ／Ｎ）が良好となる。
【選択図】　　　　図１
0003100061.tif 000002
【実用新案登録請求の範囲】
【請求項１】
開放部を有する箱形の枠体と、この枠体内に設けられたシールド板によって前記枠体内が区画された第１，第２の区画室と、前記第１の区画室に収納され、テレビジョン信号を中間周波信号に周波数変換するチューナ回路部と、前記第２の区画室に収納され、前記中間周波信号を検波して映像信号と音声信号を出力する復調回路部と、前記枠体の開放部を覆うカバーとを備え、前記枠体は、アンテナからの信号を受信するためのコネクタを取り付けた正面壁と、この正面壁の両端の位置から曲がり、互いに対向した状態で配置された上面壁、及び下面壁と、前記上、下面壁を繋ぎ、前記正面壁に対向した状態で配置された後面壁を有し、前記シールド板は、前記正面壁と前記後面壁との間に配置されて、前記コネクタが配置された上部に位置する前記第１の区画室と、下部に位置する前記第２の区画室が設けられ、前記チューナ回路部は第１の発振器を有すると共に、前記復調回路部は第２の発振器を有し、前記第１，第２の発振器が前記シールド板を挟んで対向した状態で、前記第１，第２の区画室に配置されると共に、
前記カバーは、前記第１の区画室の前記開放部を覆った状態で、前記枠体と前記シールド板に接触すると共に、前記第２の区画室の前記開放部を開放状態にしたことを特徴とする高周波回路ユニット。
【請求項２】
前記枠体は、前記正面壁と前記後面壁間の距離よりも前記上面壁と前記下面壁間の距離を小さくしたことを特徴とする請求項１記載の高周波回路ユニット。
【請求項３】
前記第１，第２の発振器が前記枠体の前記後面板の近傍に配置されたことを特徴とする請求項１、又は２記載の高周波回路ユニット。
【請求項４】
前記カバーは、前記開放部を覆う平板部と、この平板部の端部から折り曲げられ、前記シールド板の平面に接触する折曲片を有し、前記折曲片が前記第１，第２の発振器の間に位置した状態で、前記シールド板に接触したことを特徴とする請求項１から３の何れかに記載の高周波回路ユニット。
【考案の詳細な説明】
【技術分野】
【０００１】
　本考案はテレビジョンチューナ等に使用して好適な高周波回路ユニットに関する。
【背景技術】
【０００２】
　従来の高周波回路ユニットの図面を説明すると、図３は従来の高周波回路ユニットの斜視図、図４は従来の高周波回路ユニットの平面図である。
【０００３】
　次に、従来の高周波回路ユニットの構成を図３，図４に基づいて説明すると、金属板から成る横長の箱形の枠体５１は、ロ字状をなし、正面側位置する正面壁５１ａと、この正面壁５１ａの両端の位置から曲がり、互いに対向した状態で配置された上面壁５１ｂ、及び下面壁５１ｃと、上、下面壁５１ｂ、５１ｃを繋ぎ、正面壁５１ｂに対向した状態で配置された後面壁５１ｄを有する。
【０００４】
　アンテナからの信号を受信するためのコネクタ５２は、同軸型のコネクタで形成され、このコネクタ５２は、正面壁５１ａに取り付けられると共に、後述する金属板から成るシールド板５３は、枠体５１内で、上、下面壁５１ｂ、５１ｃ間に配置されて、枠体５１内が区画されている。
【０００５】
　そして、このシールド板５３によって、枠体５１内は、コネクタ５２が配置された前方部に位置する第１の区画室５４と、シールド板５３を挟んで後方部に位置する第２の区画室５５が設けられると共に、第１，第２の区画室５４，５５は、両側が開放状態となっている。
【０００６】
　金属板から成るカバー５６は、第２の区画室５５の一方の開放部を開放した状態で、第１の区画室５４の一方の開放部を覆うように配置され、また、金属板から成るカバー５７は、第１，第２の区画室５４，５５の他方の双方の開放部を覆うように配置されている。
【０００７】
絶縁基板からなる回路基板５８には、種々の電子部品５９が搭載されて、所望の電気回路が形成されており、この回路基板５８は、枠体５１内に収納、固定されて、第１，第２の区画室５４，５５内に配置されている。（例えば、特許文献１参照）
【０００８】
　このような構成を有する高周波回路ユニットは、図４に示すように、第１の区画室５４内に位置する回路基板５８には、テレビジョン信号を中間周波信号に周波数変換するチューナ回路部６０が形成されると共に、第２の区画室５５内に位置する回路基板５８には、中間周波信号を検波して映像信号と音声信号を出力する復調回路部６１が形成されている。
【０００９】
　また、チューナ回路部６０は、電圧制御発振器等から成る第１の発振器６０ａを有すると共に、復調回路部６１は、電圧制御発振器等から成る第２の発振器６１ａを有し、この第１，第２の発振器６０ａ、６１ａは、シールド板５３を挟んで互いに対向した状態で、それぞれ第１，第２の区画室５４，５５に配置されている。
【００１０】
　更に、枠体５１は、横長の箱形をなし、前、後方向に第１，第２の区画室５４，５５が形成されており、このため、コネクタ５２が配置された第１の区画室５４は、正面壁５１ａとシールド板５３間の距離が上面壁５１ｂと下面壁５１ｃ間の距離よりも大きくなっている。
【００１１】
　従って、第１，第２の発振器６０ａ、６１ａを結ぶ線Ｓ２方向での第１の発振器６０ａを覆うカバー５６の両端の距離（正面壁５１ａとシールド板５２間の距離）が長いため、その方向に流れるカバー５６上の電流（第１の発振器６０ａによるもの）に対しては、減衰し難い。
　これによって、例えば、チューナ回路部６０側の発振信号が復調回路部６１の第２の発振器６１ａに飛び込み、或いはその逆の飛び込みによって相互干渉が起きて、電気性能（Ｓ／Ｎ）が悪くなる。
【００１２】
【特許文献１】特開平６−２４４５７８号公報
【考案の開示】
【考案が解決しようとする課題】
【００１３】
　従来の高周波回路ユニットは、枠体５１が横長の箱形をなし、前、後方向に第１，第２の区画室５４，５５が形成され、第１，第２の発振器６０ａ、６１ａを結ぶ線Ｓ２方向での第１の発振器６０ａを覆うカバー５６の両端の距離（正面壁５１ａとシールド板５２間の距離）が長いため、その方向に流れるカバー５６上の電流（第１の発振器６０ａによるもの）に対しては、減衰し難い。
　これによって、チューナ回路部６０側の発振信号が復調回路部６１の第２の発振器６１ａに飛び込み、或いはその逆の飛び込みによって相互干渉が起きて、電気性能が悪くなるという問題がある。
【００１４】
　そこで、本考案は発振信号の相互干渉が少なく、電気的性能の良好な高周波回路ユニットを提供することを目的とする。
【課題を解決するための手段】
【００１５】
　上記課題を解決するための第１の解決手段として、開放部を有する箱形の枠体と、この枠体内に設けられたシールド板によって前記枠体内が区画された第１，第２の区画室と、前記第１の区画室に収納され、テレビジョン信号を中間周波信号に周波数変換するチューナ回路部と、前記第２の区画室に収納され、前記中間周波信号を検波して映像信号と音声信号を出力する復調回路部と、前記枠体の開放部を覆うカバーとを備え、前記枠体は、アンテナからの信号を受信するためのコネクタを取り付けた正面壁と、この正面壁の両端の位置から曲がり、互いに対向した状態で配置された上面壁、及び下面壁と、前記上、下面壁を繋ぎ、前記正面壁に対向した状態で配置された後面壁を有し、前記シールド板は、前記正面壁と前記後面壁との間に配置されて、前記コネクタが配置された上部に位置する前記第１の区画室と、下部に位置する前記第２の区画室が設けられ、前記チューナ回路部は第１の発振器を有すると共に、前記復調回路部は第２の発振器を有し、前記第１，第２の発振器が前記シールド板を挟んで対向した状態で、前記第１，第２の区画室に配置されると共に、前記カバーは、前記第１の区画室の前記開放部を覆った状態で、前記枠体と前記シールド板に接触すると共に、前記第２の区画室の前記開放部を開放状態にした構成とした。
【００１６】
　また、第２の解決手段として、前記枠体は、前記正面壁と前記後面壁間の距離よりも前記上面壁と前記下面壁間の距離を小さくした構成とした。
また、第３の解決手段として、前記第１，第２の発振器が前記枠体の前記後面板の近傍に配置された構成とした。
【００１７】
　また、第４の解決手段として、前記カバーは、前記開放部を覆う平板部と、この平板部の端部から折り曲げられ、前記シールド板の平面に接触する折曲片を有し、前記折曲片が前記第１，第２の発振器の間に位置した状態で、前記シールド板に接触した構成とした。
【考案の効果】
【００１８】
　本考案の高周波回路ユニットは、開放部を有する箱形の枠体と、この枠体内に設けられたシールド板によって枠体内が区画された第１，第２の区画室と、第１の区画室に収納され、テレビジョン信号を中間周波信号に周波数変換するチューナ回路部と、第２の区画室に収納され、中間周波信号を検波して映像信号と音声信号を出力する復調回路部と、枠体の開放部を覆うカバーとを備え、枠体は、アンテナからの信号を受信するためのコネクタを取り付けた正面壁と、この正面壁の両端の位置から曲がり、互いに対向した状態で配置された上面壁、及び下面壁と、上、下面壁を繋ぎ、正面壁に対向した状態で配置された後面壁を有し、シールド板は、正面壁と後面壁との間に配置されて、コネクタが配置された上部に位置する第１の区画室と、下部に位置する第２の区画室が設けられ、チューナ回路部は第１の発振器を有すると共に、復調回路部は第２の発振器を有し、第１，第２の発振器がシールド板を挟んで対向した状態で、第１，第２の区画室に配置されると共に、カバーは、第１の区画室の開放部を覆った状態で、枠体とシールド板に接触すると共に、第２の区画室の開放部を開放状態にした構成とした。
　このように、第１，第２の区画室が枠体の上、下方向に形成されたため、第１，第２の発振器を結ぶ線方向のカバーの長さは、従来に比して短くでき、このため、チューナ回路部側の発振信号が復調回路部の第２の発振器に飛び込み、或いはその逆の飛び込みによる相互干渉が極めて少なくなって、電気性能（Ｓ／Ｎ）が良好となる。
【００１９】
　また、枠体は、正面壁と後面壁間の距離よりも上面壁と下面壁間の距離を小さくしたため、上面壁と下面壁間に位置するシールド板と上面壁との間隔を著しくできて、第１，第２の発振器を結ぶ線方向のカバーの長さが著しく短くなり、このため、チューナ回路部側の発振信号が復調回路部の第２の発振器に飛び込み、或いはその逆の飛び込みによる相互干渉が極めて少なくなって、電気性能（Ｓ／Ｎ）の良好なものが得られる。
【００２０】
　また、第１，第２の発振器が枠体の後面板の近傍に配置されたため、正面壁と後面壁間に位置するカバーの長さを無視した状態で、枠体をより横長に形成でき、従って、電気性能（Ｓ／Ｎ）が良好で、且つ、小型化を図ることができる。
【００２１】
　また、カバーは、開放部を覆う平板部と、この平板部の端部から折り曲げられ、シールド板の平面に接触する折曲片を有し、折曲片が第１，第２の発振器の間に位置した状態で、シールド板に接触したため、第１，第２の発振器間のシールドが確実となって、第２の発振器への電波の漏れが少なく、Ｓ／Ｎが良好となる。
【考案を実施するための最良の形態】
【００２２】
　本考案の高周波回路ユニットの図面を説明すると、図１は本考案の高周波回路ユニットの平面図、図２は図１の２−２線における断面図である。
【００２３】
　次に、本考案の高周波回路ユニットの構成を図１，図２に基づいて説明すると、金属板から成る横長の箱形の枠体１は、四角形状の底面壁１ａと、この底面壁１ａの正面側の一端から折り曲げ形成された正面壁１ｂと、この正面壁１ｂの両端の位置から曲がり、互いに対向した状態で配置された上面壁１ｃ、及び下面壁１ｄと、上、下面壁１ｃ、１ｄを繋ぎ、正面壁１ｂに対向した状態で配置された後面壁１ｅを有する。
【００２４】
　アンテナからの信号を受信するためのコネクタ２は、同軸型のコネクタで形成され、このコネクタ２は、正面壁１ｂに取り付けられると共に、金属板から成るシールド板３は、枠体１内で、正面壁１ｂと後面壁１ｅ間に配置されて、枠体１内が区画されている。
【００２５】
　そして、このシールド板３によって、枠体１内は、コネクタ２が配置された上部に位置する第１の区画室４と、シールド板３を挟んで下部に位置する第２の区画室５が設けられると共に、第１，第２の区画室４，５は、少なくとも一方が開放状態となった開放部４ａ、５ａを有する。
【００２６】
　また、横長の枠体１は、正面壁１ｂと後面壁１ｅ間の距離よりも上面壁１ｃと下面壁１ｄ間の距離が短くなると共に、正面壁１ｂと後面壁１ｅとの間に配置されたシールド板３においては、上面壁１ｃと下面壁１ｄ間の距離よりも上面壁１ｃとシールド板３間の距離が著しく短くなっている。
【００２７】
　金属板から成るカバー６は、四角形状の平板部６ａと、平板部６ａの四辺から折り曲げられた折曲片６ｂを有し、このカバー６は、平板部６ａが第１の区画室４のみの開放部４ａを覆った状態で、折曲片６ｂが正面壁１ｂ、上面壁１ｃ、及び後面壁１ｅの外周面と、シールド板３の平面を抱持して、枠体１に取り付けられている。
【００２８】
　この時、カバー６の平板部６ａは、端部側がシールド板３の上端面に接触するようになっているため、平板部６ａのシールド板３への接触が確実であると共に、折曲片６ｂが第２の区画室５側のシールド板３の平面に接触した状態となって、カバー６による第１，第２の区画室４，５間のシールドを確実にできる。
【００２９】
　絶縁基板からなる回路基板７には、種々の電子部品（図示せず）が搭載されて、所望の電気回路が形成されており、この回路基板７は、枠体１内に収納、固定されて、第１，第２の区画室４，５内に配置されている。
【００３０】
　そして、第１の区画室４内に位置する回路基板７には、テレビジョン信号を中間周波信号に周波数変換するチューナ回路部８が形成されると共に、第２の区画室５内に位置する回路基板７には、中間周波信号を検波して映像信号と音声信号を出力する復調回路部９が形成されている。
【００３１】
　また、チューナ回路部８は、電圧制御発振器等から成る第１の発振器８ａを有すると共に、復調回路部９は、電圧制御発振器等から成る第２の発振器９ａを有し、この第１，第２の発振器８ａ、９ａは、後面壁１ｅの近傍に配置されると共に、シールド板３を挟んで互いに対向した状態で、それぞれ第１，第２の区画室４，５に配置されている。
【００３２】
　このような構成を有する本考案の高周波回路ユニットにおいて、コネクタ２によってアンテナから受信した信号は、チューナ回路部８において前方部から後方部に流れた後、下部方向の復調回路部９へと流れるようになる。
【００３３】
　そして、第１，第２の発振器８ａ、９ａを結ぶ線Ｓ１方向での第１の発振器８ａを覆うカバー６の両端の距離（上面壁１ｃとシールド板３間の距離）が短いため、その方向に流れるカバー６上の電流（第１の発振器８ａによるもの）に対しては、減衰がし易くなる。
　これによって、例えば、チューナ回路部８側の発振信号が復調回路部９の第２の発振器９ａに飛び込み、或いはその逆の飛び込みによる相互干渉が少なくなって、電気性能（Ｓ／Ｎ）が良好となる。
【００３４】
　即ち、上面壁１ｃとシールド板３間の距離を、正面壁１ｂと後面壁１ｅ間の距離よりも短くすれば良く、そして、シールド板３によって、上、下方向に第１，第２の区画室４，５を形成すれば、上面壁１ｃとシールド板３間が正面壁１ｂと後面壁１ｅ間の距離よりも短くなって、電気性能（Ｓ／Ｎ）の良好なものが得られるものである。
【図面の簡単な説明】
【００３５】
【図１】本考案の高周波回路ユニットの平面図。
【図２】図１の２−２線における断面図
【図３】従来の高周波回路ユニットの斜視図。
【図４】従来の高周波回路ユニットの平面図。
【符号の説明】
【００３６】
　１：枠体
　１ａ：底面壁
　１ｂ：正面壁
　１ｃ：上面壁
　１ｄ：下面壁
　１ｅ：後面壁
　２：コネクタ
　３：シールド板
　４：第１の区画室
　４ａ：開放部
　５：第２の区画室
　５ａ：開放部
　６：カバー
　６ａ：平板部
　６ｂ：折曲片
　７：回路基板
　８：チューナ回路部
　８ａ：第１の発振器
　９：復調回路部
　９ａ：第２の発振器
　Ｓ１：線
【図１】
0003100061.tif 000003
【図２】
0003100061.tif 000004
【図３】
0003100061.tif 000005
【図４】
0003100061.tif 000006